(57)【要約】【課題】  シンプルな構造でありながら、配管内の生ゴミの滞留を防止することができる生ゴミ搬送用配管と、その配管を有する生ゴミ処理システムを提供すること。【解決手段】  屋内から屋外に向けて下り勾配を持つように配置された固定管２０と、固定管２０の内側に配置され、固定管２０に対して、軸心回りに回転自在に配置してある内管２２と、を有する生ゴミ搬送用配管１０である。内管２２における下り勾配の上端部１０ａには、内管２２を、固定管２０に対して軸心回りに手動で回転させるための取っ手３０が具備してある。【選択図】        図２
2005193076.tif 000002
【特許請求の範囲】
【請求項１】
屋内から屋外に向けて下り勾配を持つように配置された固定管と、
前記固定管の内側に配置され、前記固定管に対して、軸心回りに回転自在に配置してある内管と、を有する生ゴミ搬送用配管。
【請求項２】
前記内管は、前記固定管の全長にわたり、前記固定管の内側に配置してある請求項１に記載の生ゴミ搬送用配管。
【請求項３】
前記内管における下り勾配の上端部には、前記内管を、前記固定管に対して軸心回りに手動で回転させるための取っ手が具備してある請求項１または２に記載の生ゴミ搬送用配管。
【請求項４】
前記内管には、前記内管の内側を通過する生ゴミの水分を排出するための透水孔が形成してある請求項１〜３のいずれかに記載の生ゴミ搬送用配管。
【請求項５】
前記内管の内周面には、螺旋状の突起が具備してある請求項１〜４のいずれかに記載の生ゴミ搬送用配管。
【請求項６】
請求項１〜５のいずれかに記載の生ゴミ搬送用配管と、
前記生ゴミ搬送用配管における下り勾配の下端部に接続される生ゴミ処理機と、
前記生ゴミ搬送用配管における下り勾配の上端部に接続される流し台とを有する生ゴミ処理システム。
【発明の詳細な説明】
【技術分野】
【０００１】
本発明は、屋外に配置された生ゴミ処理機内に屋内から生ゴミを搬送するための生ゴミ搬送用配管と、その配管を有する生ゴミ処理システムに関する。
【背景技術】
【０００２】
近年、ゴミ処理の有料化などに伴い、発酵菌により生ゴミを分解処理する家庭用生ゴミ処理機の普及が進んでいる。このような生ゴミ処理機は、発酵により生じる臭気の問題があるため、一般に屋外に配置される。
【０００３】
屋外に配置された生ゴミ処理機に、生ゴミを搬送できるように、屋内から生ゴミ処理機に向けて連通する生ゴミ搬送用配管が知られている（たとえば下記の特許文献１参照）。このような生ゴミ搬送用配管を使用すると、家庭内で発生した生ゴミを素早く簡単に生ゴミ処理機に搬送することができる。
【０００４】
しかしながら、従来の生ゴミ搬送用配管では、配管が設置される状況によっては、必ずしも十分な下り勾配を得ることができず、生ゴミが配管内に滞留して、悪臭や虫の発生などの原因となる場合があった。
【０００５】
このような課題を解決するために、たとえば下記の特許文献２には、振動モータなどの振動発生手段により配管を振動可能にして、生ゴミが配管内を通過し易いようにする方法が提案されている。
【０００６】
しかしながら、この特許文献２の方法では、構造が複雑であるために、その設置が困難で、高コストになる。また、配管外に振動発生手段を付設するスペースが必要となり、台所などの限られたスペースに設ける生ゴミ搬送用配管としては問題があった。
【特許文献１】特開平１０−８５７０８号公報
【特許文献２】特開平５−１３３０８７号公報。
【発明の開示】
【発明が解決しようとする課題】
【０００７】
本発明は、このような実状に鑑みてなされ、シンプルな構造でありながら、配管内の生ゴミの滞留を防止することができる生ゴミ搬送用配管と、その配管を有する生ゴミ処理システムを提供することを目的とする。
【課題を解決するための手段】
【０００８】
上記目的を達成するために、本発明に係る生ゴミ搬送用配管は、
屋内から屋外に向けて下り勾配を持つように配置された固定管と、
前記固定管の内側に配置され、前記固定管に対して、軸心回りに回転自在に配置してある内管と、を有する。
【０００９】
前記内管は、前記固定管の全長にわたり、前記固定管の内側に配置してあることが好ましい。
【００１０】
前記内管における下り勾配の上端部には、前記内管を、前記固定管に対して軸心回りに手動で回転させるための取っ手が具備してあることが好ましい。
【００１１】
前記内管には、前記内管の内側を通過する生ゴミの水分を排出するための透水孔が形成してあることが好ましい。
【００１２】
前記内管の内周面には、螺旋状の突起が具備してあることが好ましい。
【００１３】
本発明に係る生ゴミ処理システムは、
上記の生ゴミ搬送用配管と、
前記生ゴミ搬送用配管における下り勾配の下端部に接続される生ゴミ処理機と、
前記生ゴミ搬送用配管における下り勾配の上端部に接続される流し台とを有する。
【発明の効果】
【００１４】
本発明に係る生ゴミ搬送用配管では、屋内から内管に生ゴミを投入し、内管を回転させることで、強制的に配管内の生ゴミを搬送することができる。そのため、配管内における生ゴミの滞留を防止することができる。また、本発明においては、振動モータなどの配管外の設備を必要とせず、比較的に簡素な構造で配管が構成されるため、配管の設置が容易である。
【発明を実施するための最良の形態】
【００１５】
以下、本発明を、図面に示す実施形態に基づき説明する。
【００１６】
図１は本発明の一実施形態に係る生ゴミ処理システムの全体概略図、
図２は図１に示すシステムに用いる生ゴミ搬送用配管の縦断面図である。
【００１７】
図１に示すように、本発明の一実施形態に係る生ゴミ処理システムは、たとえば一般家庭の建物２の台所４に取り付けられ、流し台６のシンク８の側壁に上端部１０ａが接続してある生ゴミ搬送用配管１０を有する。この配管１０の下端部１０ｂは、建物２の壁１４を貫通し、建物２の屋外に配置してある生ゴミ処理機１２の内部に接続してある。
【００１８】
生ゴミ処理機１２としては、特に限定されず、市販の生ゴミ処理機を用いることができる。生ゴミ処理機１２の内部には、好気性バクテリアなどの微生物が収容してあり、生ゴミを分解可能になっている。また、生ゴミ処理機１２の内部には、撹拌翼などが収容してあっても良い。
【００１９】
本実施形態では、配管１０は、図１に示すように、流し台６のシンク８から建物２の屋外に向けて一様な下り勾配を有するように、直管状に配置してある。この配管１０は、図２に示すように、固定管２０と、固定管２０の内側に配置され、固定管２０に対して、軸心回りに回転自在に配置してある内管２２と、を有する。
【００２０】
固定管２０は、図１に示す建物２の壁１４を貫通するように固定され、その上端１０ａは、シンク８の側壁に固定され、その下端１０ｂは、生ゴミ処理機１２に接続される。なお、固定管２０の下端１０ｂには、後述する分岐管（図示省略）が接続され、生ゴミからの余分な水分を下水路などに排水可能になっている。
【００２１】
本実施形態では、図２に示すように、内管２２は、固定管２０よりも軸方向に長く伸び、固定管２０の全長にわたり、固定管２０の内側に配置してあり、ラジアル軸受２４およびスラスト軸受２６により、固定管２０に対して軸心回りに回転自在となっている。なお、ラジアル軸受２４およびスラスト軸受２６は、内管２２の外周および／または固定管２０の内周に形成してある突起と凹部の組み合わせであっても良い。また、内管２２は、固定管２０の全長にわたって配置することが好ましいが、少なくとも固定管２０の上端から所定距離で配置すれば良い。
【００２２】
内管２２の上端１０ａには、フランジ２８が一体的に形成してあり、その内側にスラスト軸受２６が装着してあり、そのスラスト軸受２６に対して、固定管２０の上端１０ａが摺接してある。なお、内管２２の上端と固定管２０の上端は、必ずしも近接させる必要はなく、例えば、内管２２の上端部を固定管２０に対して突出させても良い。
【００２３】
内管２２のフランジ２８には、取っ手３０が具備してある。この取っ手３０は、図１に示すシンク８の内側に露出してあり、シンク８の内部に手を入れて取っ手３０の操作ができるようになっている。この取っ手３０を把持して回すことで、内管２２は、固定管２０の内部で、固定管２０に対して相対的に軸心回りに回転する。なお、内管２２の回転方向は、内管２２の内周面に形成してある後述の螺旋状突起５０により内管２２の内部の生ゴミを、下端１０ｂに向けて送り出す方向であることが好ましい。
【００２４】
内管２２の上端１０ａの開口面は取っ手３０を回し易いように内管２２の軸心に対して直交するように形成してある。本実施形態では、シンク８の側壁を大地に対して垂直とし、内管２２（配管１０）の上端１０ａをシンク８の側壁から突出させているが、シンク８の側壁を内管２２の上端１０ａの開口面と同一面となるように形成しても良い。
【００２５】
内管２２の上端１０ａには、必要に応じて、キャップ４０が具備してある。キャップ４０は、内管２２の上端１０ａに形成してある上端開口部を開閉するものであり、開口部に対して着脱自在に設けてある。あるいは、キャップ４０は、内管２２の上端開口部に移動自在（たとえば回転移動）に取り付け、上端開口部を開く位置と閉じる位置とに移動可能にしても良い。
【００２６】
内管２２の下端１０ｂは、図１に示す生ゴミ処理機１２の内部に連通してある。内管２２の下端１０ｂに形成してある下端開口部から生ゴミを生ゴミ処理機１２の内部に排出可能になっている。この下端開口部には、弾力性のある弁体などを装着しても良い。その場合には、内管２２の内側から外側に向けての生ゴミの移動は許容し、生ゴミ処理機１２の内部から内管２２の内部への臭気の漏れを防止することになる。
【００２７】
内管２２には、その内側を通過する生ゴミの水分を排出するための透水孔を形成することが好ましい。本実施形態では、内管２２が周面にメッシュ孔（図示省略）を有するステンレスメッシュ管で構成してあり、それらのメッシュ孔が透水孔になっている。生ゴミが内管２２の上端１０ａから下端１０ｂに移動する間に、生ゴミに含まれる水分は、それらの透水孔を通して、内管２２の外側で固定管２０の内側に移動し、下端１０ｂに向けて流れる。固定管２０の下端１０ｂには、図示省略してある分岐管が接続してあり、余分な水分は、分岐管を通して下水路などに導き、生ゴミ処理機１２の内部に入り込まないようにしてある。
【００２８】
生ゴミ処理機１２では、好気性バクテリアにより生ゴミを発酵させる方式のものが多く、水分が多量に流れ込むと、バクテリアが死滅して、処理能力が低下するおそれがある。上述したように、内管に透水孔を設けることで、このような事態を防止することができる。
【００２９】
内管２２の内周面には螺旋状突起５０が具備してある。螺旋状突起５０を具備させることで、内管２２の回転時に螺旋状突起５０も回転し、内管２２内の生ゴミを下方に送込む作用が向上する。
【００３０】
内管２２の材質は、特に限定されないが、滑り特性が良好で耐腐食性の材料が好ましく、たとえばステンレスなどの金属が例示される。
【００３１】
固定管２０は、周面に透水孔などが形成されていない通常の配管で構成してある。固定管２０の材質は、特に限定されず、たとえば合成樹脂あるいは金属などが例示される。
【００３２】
本実施形態に係る生ゴミ搬送用配管１０およびそれを用いたシステムでは、屋内のシンク８から内管２２に生ゴミを投入し、内管２２を回転させることで、強制的に配管内の生ゴミを搬送することができる。そのため、配管１０内における生ゴミの滞留を防止することができる。また、本実施形態においては、振動モータなどの配管外の設備を必要とせず、比較的に簡素な構造で配管１０が構成されるため、建物２に対する配管１０の設置が容易である。
【００３３】
なお、本発明は、上述した実施形態に限定されるものではなく、本発明の範囲内で種々に改変することができる。
【００３４】
たとえば、上述した実施形態では、配管１０は、図１に示すように、流し台６のシンク８から建物２の屋外に向けて一様な下り勾配を有するように、直管状に配置してあるが、一部に曲折部を具備させても良い。ただし、内管２２を固定管２０に対して手動で回転させる観点からは、配管１０は、直管形状が好ましい。
【００３５】
また、内管２２は、メッシュ管以外に、通常の管に多数の透水孔を穿設加工したものを用いても良い。さらに、内管２２の内面には、耐腐食性と滑り特性を向上させるために、塩化ビニール樹脂やフッ素樹脂などのライニング層を形成しても良い。
【００３６】
さらに、上述した実施形態では、内管２２の内周面に螺旋状突起５０を形成してあるが、螺旋状突起５０は、必ずしも設けなくても良い。
【００３７】
さらにまた、配管１０の上端１０ａに形成してある上端開口部の位置は、必ずしもシンク８の側面ではなく、流し台６の何れかの位置、あるいは、建物２の内部のその他の位置でも良い。
【図面の簡単な説明】
【００３８】
【図１】図１は本発明の一実施形態に係る生ゴミ処理システムの全体概略図である。
【図２】図２は図１に示すシステムに用いる生ゴミ搬送用配管の縦断面図である。
【符号の説明】
【００３９】
２…  建物
６…  流し台
８…  シンク
１０…  生ゴミ搬送用配管
１０ａ…  上端
１０ｂ…  下端
１２…  生ゴミ処理機
２０…  固定管
２２…  内管
３０…  取っ手
４０…  キャップ
５０…  螺旋状突起
【図１】
2005193076.tif 000003
【図２】
2005193076.tif 000004